(57)【要約】【課題】排水性が良く低コストで施工できるとともに十分な強度を有する垂直擁壁を提供する。【解決手段】垂直擁壁１は、前面がポーラスコンクリートからなるコンクリート板１０と金網パネル２０ａ、２０ｂ、２０ｃからなる底面２２と背面２１を有する単位ユニットを積み重ねて形成されている。単位ユニットの底面２２と背面２１の内側には透水性シート２５が敷かれ、コンクリート破砕物３０が充填されている。【選択図】図１
2008308948.tif 000002
【特許請求の範囲】
【請求項１】
前面をコンクリート板により構成し、底面と背面とを金網パネルにより構成した複数の単位ユニットを、それぞれの前面が擁壁をなすように上下及び左右に並べ、該単位ユニットの前面及び背面の間であって底面上に石およびコンクリート破砕物の少なくとも一種類を充填して形成する垂直擁壁であって、
前記コンクリート板は透水性のポーラスコンクリートからなるとともに、前記単位ユニットの前面となる前壁部と該前壁部から後方にリブ状に突き出している突出部とを備えており、
前記底面と背面とは、前記金網パネルを鉛直断面Ｌ字型に折り曲げて構成されており、
前記背面の内側には、透水性シートが配置されており、
上下に並べられた前記コンクリート板同士は、下側のコンクリート板の突出部の上端と上側のコンクリート板の突出部の下端とが連結部材により連結されることにより固定されており、
前記金網パネルの前縁は前記連結部材により、前記コンクリート板に固定されている、垂直擁壁。
【請求項２】
上下に隣接した２つの前記単位ユニットにおいて、前記前面と背面との間の距離は上側の方が下側以上に大きい、請求項１に記載されている垂直擁壁。
【請求項３】
前記コンクリート板と前記底面とは、補強ステーによりさらに連結されている、請求項１または２に記載されている垂直擁壁。
【請求項４】
コンクリート板を複数枚積み上げて垂直擁壁を形成する垂直擁壁の工法であって、
地盤の上に基礎ブロックを設置する工程Ａと、
前記基礎ブロックの上に透水性のポーラスコンクリートからなり、擁壁を構成するコンクリート板を載せるとともに、該コンクリート板の後側下部に、鉛直断面がＬ字型の金網パネルの一端を連結して、コンクリート板の後方に該金網パネルからなる底面と背面とを設ける工程Ｂと、
前記背面の内側を透水性シートで覆う工程Ｃと、
前記コンクリート板の後側と前記透水性シートとの間に石及びコンクリート破砕物の少なくとも一種類を充填する工程Ｄと
を含む、垂直擁壁の工法。
【請求項５】
前記工程Ｄの後に、前記コンクリート板の上にポーラスコンクリートからなる別のコンクリート板を載せるとともに、該別のコンクリート板の後側下部に、鉛直断面がＬ字型の別の金網パネルの一端を連結して、該別のコンクリート板の後方に該別の金網パネルからなる底面と背面とを設ける工程Ｂ’と、
前記背面の内側を透水性シートで覆う工程Ｃ’と、
前記別のコンクリート板の後側と前記透水性シートとの間に石及びコンクリート破砕物の少なくとも一種類を充填する工程Ｄ’と
をさらに含み、
前記工程Ｄ’の後に再び工程Ｂ’、Ｃ’、Ｄ’をこの順番で複数回行い、
再び行う工程Ｂ’における前記別のコンクリート板と前記別の金網パネルの背面との距離は、その前の工程Ｂ’における該距離以上である、請求項４に記載されている垂直擁壁の工法。
【発明の詳細な説明】
【技術分野】
【０００１】
本発明は、垂直擁壁及び垂直擁壁の工法に関し、特に、前面をコンクリート板により構成し、底面と背面とを金網パネルにより構成した単位ユニットを用いる垂直擁壁およびその工法に関するものである。
【背景技術】
【０００２】
擁壁とは、切土や盛土による地表面の高低差を保持するために、その境界に設けられる壁状の構造物のことであり、垂直擁壁は前面に現れる壁が鉛直に切り立っている擁壁である。従来のコンクリート垂直擁壁には、図８に示すＬ型擁壁１００や図９に示す補強土擁壁２００が主として採用されてきた。
【０００３】
Ｌ型擁壁１００は垂直断面がＬ型であるコンクリート製の部材１０１を基礎コンクリート１０２の上に置くあるいは形成して、部材１０１の底部の上および垂直壁の後方に盛土１１０を行ったものである。また、補強土擁壁２００は、地盤の上に複数のコンクリート板２０１を垂直に積み上げていき、その後方に盛土１１０を行っていくのであるが、その盛土１１０の中に水平に帯状またはシート状の補強材２０２を埋設し、補強材２０２と各コンクリート板２０１とを連結部材で連結しているものである。
【０００４】
また、別種の擁壁として金網籠擁壁がある。この金網籠擁壁は、金網からなる籠の中に栗石や割栗石を詰めて積み上げて形成されるものである。
【特許文献１】特開２０００−７３３３１号公報
【特許文献２】特開平１１−１６６２１９号公報
【特許文献３】特開２００５−９８０９３号公報
【発明の開示】
【発明が解決しようとする課題】
【０００５】
上記のＬ型擁壁１００や補強土擁壁２００は、盛土１１０内の排水を行う必要があり、前面の壁面部に水抜き穴を開け、盛土１１０内に排水管を複数埋設して水抜き穴と連通させて排水を行っている。しかしながら、盛土１１０は土砂を突き固めているため、排水性が悪く、また土砂で排水管が目詰まりするので、維持管理コストが大きくなる。また、背面土砂の吸い出し現象による擁壁倒壊の危険性もある。また、大規模な掘削工事が必要なため、コストが増大するとともに工程管理も複雑になり、広い資材管理場が必要になる。特に、補強土擁壁２００はコンクリート板２０１が盛土１１０の土圧力により倒れそうになるのを補強材２０２の土砂との摩擦抵抗力によって支えているので、コンクリート板２０１後方に比較的長く補強材２０２を敷く必要があり、盛土１１０を広範囲に行う必要がある。
【０００６】
金網籠擁壁は強度の面から、一般的には上面に自動車荷重が直接作用する箇所には適用できない。また、擁壁前面の金網が、内部の石に押されて外側に膨らむので心理的な圧迫感も有り、垂直積みが非常に困難であり、上面に道路等を作る場合には垂直擁壁としては使用することができない。
【０００７】
本発明は、かかる点に鑑みてなされたものであり、その目的とするところは、排水性が良く低コストで施工できるとともに十分な強度を有する垂直擁壁を提供することにある。
【課題を解決するための手段】
【０００８】
上記の課題を解決するために、前面をコンクリート板とし底面と背面とを金網パネルとした単位ユニットを並べて垂直擁壁を形成することとした。
【０００９】
具体的には、本発明の垂直擁壁は、前面をコンクリート板により構成し、底面と背面とを金網パネルにより構成した複数の単位ユニットを、それぞれの前面が擁壁をなすように上下及び左右に並べ、該単位ユニットの前面及び背面の間であって底面上に石およびコンクリート破砕物の少なくとも一種類を充填して形成する垂直擁壁であって、前記コンクリート板は透水性のポーラスコンクリートからなるとともに、前記単位ユニットの前面となる前壁部と該前壁部から後方にリブ状に突き出している突出部とを備えており、前記底面と背面とは、前記金網パネルを鉛直断面Ｌ字型に折り曲げて構成されており、前記背面の内側には、透水性シートが配置されており、上下に並べられた前記コンクリート板同士は、下側のコンクリート板の突出部の上端と上側のコンクリート板の突出部の下端とが連結部材により連結されることにより固定されており、前記金網パネルの前縁は前記連結部材により、前記コンクリート板に固定されている構成とした。なお、背面の内側に透水性シートが配置されているというのは、金網背面の前面に向いた側の全面を透水性のシートで覆っていることをいう。
【００１０】
前面がポーラスコンクリートのコンクリート板からなり、その背部には石及びコンクリート破砕物の少なくとも一方が充填されているので、排水性がよい。また単位ユニットを並べては石やコンクリート破砕物を充填し、さらにその上に単位ユニットを積むので、低コストで十分な強度を有する擁壁を施工できる。
【００１１】
上下に隣接した２つの前記単位ユニットにおいて、前記前面と背面との間の距離は上側の方が下側以上に大きい構成としてもよい。
【００１２】
前記コンクリート板と前記底面とは、補強ステーによりさらに連結されている構成としてもよい。
【００１３】
本発明の垂直擁壁の工法は、コンクリート板を複数枚積み上げて垂直擁壁を形成する垂直擁壁の工法であって、地盤の上に基礎ブロックを設置する工程Ａと、前記基礎ブロックの上に透水性のポーラスコンクリートからなり、擁壁を構成するコンクリート板を載せるとともに、該コンクリート板の後側下部に、鉛直断面がＬ字型の金網パネルの一端を連結して、コンクリート板の後方に該金網パネルからなる底面と背面とを設ける工程Ｂと、前記背面の内側を透水性シートで覆う工程Ｃと、前記コンクリート板の後側と前記透水性シートとの間に石及びコンクリート破砕物の少なくとも一種類を充填する工程Ｄとを含む。
【００１４】
前記工程Ｄの後に、前記コンクリート板の上にポーラスコンクリートからなる別のコンクリート板を載せるとともに、該別のコンクリート板の後側下部に、鉛直断面がＬ字型の別の金網パネルの一端を連結して、該別のコンクリート板の後方に該別の金網パネルからなる底面と背面とを設ける工程Ｂ’と、前記背面の内側を透水性シートで覆う工程Ｃ’と、前記別のコンクリート板の後側と前記透水性シートとの間に石及びコンクリート破砕物の少なくとも一種類を充填する工程Ｄ’とをさらに含み、前記工程Ｄ’の後に再び工程Ｂ’、Ｃ’、Ｄ’をこの順番で複数回行い、再び行う工程Ｂ’における前記別のコンクリート板と前記別の金網パネルの背面との距離は、その前の工程Ｂ’における該距離以上である構成としてもよい。
【発明の効果】
【００１５】
前面がポーラスコンクリートからなるコンクリート板である単位ユニットを積み上げ、その中に石やコンクリート破砕物を入れて垂直擁壁とするので、施工が簡単で低コストで行え、また高い排水性を確保できる。
【発明を実施するための最良の形態】
【００１６】
以下、本発明の実施形態を図面に基づいて詳細に説明する。以下の図面においては、説明の簡潔化のため、実質的に同一の機能を有する構成要素を同一の参照符号で示す。
【００１７】
（実施形態１）
実施形態１に係る垂直擁壁の模式的な断面を図１に示す。この垂直擁壁１は、斜面の一部を掘削して設けたものであり、最上部に道路が形成されている。垂直擁壁１の前面部分は、ポーラスコンクリートからなる複数のコンクリート板１０，１０，…を並べて形成している。また、コンクリート板１０，１０，…の背部には、平面状の金網パネル２０ａ，２０ｂ，２０ｃを折り曲げて鉛直断面をＬ字型としたものが置かれている。
【００１８】
金網パネル２０ａ，２０ｂ，２０ｃは、亜鉛めっきを施した溶接金網からなっており、水平に延びる底面２２とその底面２２の端部から垂直に上方へ延びる背面２１とを備えている。この金網パネル２０ａ，２０ｂ，２０ｃの前縁はコンクリート板１０の下端部に連結されて固定され、そこから後方へ底面２２が延び、さらに底面２２の後端から上方へ背面２１が延びている。背面２１の高さはコンクリート板１０の高さとほぼ同じである。一つのコンクリート板１０に一つの金網パネル２０ａ（または２０ｂ、２０ｃ）が連結されて、単位ユニットを形成している。そして、複数の単位ユニットが上下及び左右に連結されて垂直擁壁１を構成している。なお、道路脇の斜面（図の右側）にも単位ユニットを積み上げてもたれ型の擁壁を形成している。
【００１９】
単位ユニットの背面２１の内側（背面２１のコンクリート板１０に面した側）には、ポリエステル系の不織布などからなる透水性シート２５が配置されている。また、コンクリート板１０や背面２１が倒れないように、底面２２とコンクリート板１０、および底面２２と背面２１とが補強ステー２７、２７により連結されている。補強ステー２７は鋼線の両端をフックにしたものであり、コンクリート板１０や背面２１の上部に一方のフックを掛け、他方のフックは底面２２に掛けている。図よりわかるように、補強ステー２７，２７は、鉛直に立っているコンクリート板１０および背面２１と水平な底面２２とを、直角三角形の斜辺のように斜めに連結している。
【００２０】
さらに単位ユニットの前面（コンクリート板１０）と背面２１との間、および底面２２の上にコンクリート破砕物（クラッシャーラン）８０が充填されている。コンクリート破砕物８０は、コンクリートからなる構造物を取り壊したときに発生するものであり、安価なため埋め立てに用いられる。背面２１の内側に透水性シート２５が配置されているため、金網パネル２０ａ（または２０ｂ、２０ｃ）の網目よりも径が小さいコンクリート破砕物８０を充填しても背面２１の網目からこぼれ落ちることはない。背面２１の後方には土砂７０が充填されている。
【００２１】
コンクリート破砕物８０が充填された単位ユニットの上には、もう一つの単位ユニットが載せられる。このようにして、単位ユニットを上へ積んでいき、必要な高さの垂直擁壁１が形成される。また、単位ユニットは水平方向にも複数並べられて垂直擁壁１を形成する。ここで、充填物がコンクリート破砕物８０であり、単位ユニットの背面２１の内側には透水性シート２５が配置されており、さらに前面のコンクリート板１０がポーラスコンクリートからなっているので、雨が降っても浸透水は速やかにコンクリート破砕物８０の間を流れてコンクリート板１０から前に流れ出る。また、透水性シート２５が単位ユニット内に土砂が入ってくるのを防ぐため、土砂によるコンクリート板１０の目詰まりを防止でき、高い排水性を長期間保持することができる。
【００２２】
上記のように単位ユニットを積み上げてコンクリート破砕物８０を充填していくことによって、コンクリート破砕物８０が底面２２の網目から下側に一部突き出すことになる。そして、網目から突き出しているコンクリート破砕物８０が下の単位ユニットのコンクリート破砕物８０としっかりと噛み合うことになる。このようにして上下の単位ユニットが一体となり、垂直擁壁１全体の一体性が保たれる。
【００２３】
また、本実施形態では単位ユニットを上下に１０段積み上げているが、この１０段を上中下の３つに分けた場合、前面のコンクリート板１０と背面２１との間の距離（底面２２の長さ）は、下段の３つの段よりも中段の４つの段の方が大きく、さらに中段の４つの段よりも上段の３つの段の方が大きい。なお、上段の上下に並んだ３つの単位ユニットの底面２２の長さはそれぞれ同じであり、中段の４つの単位ユニットおよび下段の３つの単位ユニットに関しても同様である。このような構成により、斜面の掘削量が少なくても垂直擁壁１を形成することができる。この構造は、上記の上下の単位ユニット間のコンクリート破砕物８０同士の噛み合いによる一体性によって支えられており、斜面側からの土圧力によって垂直擁壁１が崩壊する虞はない。
【００２４】
ここで、本実施形態の垂直擁壁１を特許文献１の生態保全ブロックと比較すると、特許文献１の生態保全ブロックは擁壁面となるコンクリートブロックの裏面に、平面形状がコ字状であって上下方向を開放した網枠からなるため、擁壁にかかる土圧力を支えるのが網枠の側面部分のみでありそこは引っ張り力に対して弱いので、擁壁はもたれ型にする必要があり、垂直擁壁とすることができないのに対し、本実施形態の垂直擁壁１では、単位ユニットの底面２２に充填物であるコンクリート破砕物８０の重量がかかり、それが擁壁にかかる前方圧力を十二分に支えることができるため、擁壁を垂直とすることができ、最上部に道路を形成しても崩壊する虞はない。
【００２５】
また、本実施形態の垂直擁壁１を特許文献２の土木構築物と比較すると、特許文献２の土木構築物は護岸構造を前提としているため前壁から排水されることはなく、最上部に道路等を形成できるほど擁壁にかかる圧力を支えることができず、また、もたれ型であるので垂直擁壁とすることができない。
【００２６】
さらに、本実施形態の垂直擁壁１を特許文献３のブロック擁壁と比較すると、特許文献３のブロック擁壁も垂直擁壁を形成できるほど擁壁にかかる圧力を支えることができないとともに、前面への排水をパイプに頼っているので、パイプの目詰まりなど排水性の問題がある。
【００２７】
以上のように本実施形態の垂直擁壁１は、高い排水性と上部に道路を形成できる強度を有しているとともに、斜面の掘削量を少なくできて充填物にコンクリート破砕物８０を用いているので、低コストで施工できる。さらに、通常のコンクリートに比べて軽量なポーラスコンクリートを用いてコンクリート板１０を形成しており、このコンクリート板１０が単位ユニットの中での最重量物であるので、単位ユニット自体が軽量であって大型のクレーンは不要になり、この点でも工事コストを低減でき、工事期間も短縮できる。
【００２８】
（実施形態２）
実施形態２の垂直擁壁は、上下方向に単位ユニットを３つ重ねたものであり、前面上方側から見た斜視図を図２に、後面上方側から見た斜視図を図３に示す。
【００２９】
図２，３に示す本実施形態の垂直擁壁２は、水平方向（左右方向）に並ぶ単位ユニット５を４つ分抜き出したものであり、内部構造を見やすくするため、充填物のコンクリート破砕物および透水性シートを省略している。
【００３０】
上下の３段の単位ユニット５，５，５はコンクリート板１０，１０，１０と金網パネル２０ａ，２０ｂ，２０ｃとを備えており、各段を比較すると金網パネル２０ａ，２０ｂ，２０ｃの一部である底面２２の長さがそれぞれ異なっている。即ち下段が最も短く、上段が最も長く、中段がそれらの中間の長さである。底面２２の長さ以外は、上中下とも同じ構成である。
【００３１】
コンクリート板１０，１０，１０は、透水性を有するポーラスコンクリートからできており、単位ユニット５の前面となる前壁部１５と、この前壁部１５の後側にリブ上に突き出している突出部１１，１１とを備えている。一つのコンクリート板１０は２つの突出部１１，１１を備えている。突出部１１の上下方向の長さ（高さ）は前壁部１５の上下方向の長さ（高さ）と同じであり、一つのコンクリート板１０の上に別のコンクリート板１０を積み重ねると、一方の前壁部１５の上端と別の前壁部１５の下端とが全面的に当接するとともに、上下の突出部１１，１１同士も上端と下端とが当接して、２つのコンクリート板１０，１０を安定して積み重ねることができる。ここで、前壁部１５の下端と上端とには、それぞれ段差１２，１２があり、その段差１２，１２同士が嵌り合って上下のコンクリート板１０，１０同士の積み重ね時の位置決めが行われコンクリート板１０，１０同士がずれてしまうことを防いでいる。
【００３２】
上下のコンクリート板１０，１０同士は、上側の突出部１１の下端と下側の突出部１１の上端とを、金属板にボルト孔が開けられた連結部材３０によって連結することにより互いに固定されている。ここで図４に示すように、突出部１１の上端には、窪み１３が設けられており、その窪み１３に金網パネル２０ａ（または２０ｂ，２０ｃ）の前縁の鋼線を嵌め込むようになっている。従って、この窪み１３に金網パネル２０ａ（または２０ｂ，２０ｃ）の前縁の鋼線を嵌め込まれた後に窪み１３を覆うように連結部材３０をあて、ボルト孔にボルトを差し込んで、突出部１１に設けられたボルト穴にボルトを螺合させて、上下のコンクリート板１０，１０および金網パネル２０ａ（または２０ｂ，２０ｃ）を互いに連結固定する。
【００３３】
また、前壁部１５の側面の上部には凹部１４が設けられている。この凹部１４は補強ステー２７のフックが差し込まれる場所である。すなわち、左右に隣接するコンクリート板１０，１０は、互いの凹部１４，１４をつき合わせて並べられており、その凹部１４，１４を覆うように連結部材３０が取り付けられ、補強ステー２７のフックは凹部１４，１４に差し込まれて連結部材３０に引っ掛けられるのである。補強ステー２７の反対側のフックは、底面２２の鋼線に引っ掛けられる。このようにして左右に隣接するコンクリート板１０，１０同士は連結部材３０によって連結固定される。
【００３４】
さらに上下に並ぶ金網パネル２０ａ、２０ｂ（または２０ｂ，２０ｃ）同士は、Ｕボルトによって連結され固定されている。
【００３５】
次に、本実施形態の垂直擁壁２の施工方法について図５を参照して説明する。
【００３６】
まず、施工場所の斜面を掘削し、垂直擁壁２を形成する基礎地盤５０を設ける（図５（ａ））。
【００３７】
それから、基礎地盤５０の上に基礎ブロック９を置き、基礎ブロック９の背部に基礎ブロック９とほぼ同じ高さとなるように砕石を敷く（図５（ｂ））。基礎ブロック９は水平方向に複数隣接して並べられている。
【００３８】
次に基礎ブロック９の上にコンクリート板１０を置く。この時基礎ブロック９にはコンクリート板１０の段差１２と同形状の段差１２’が設けられているので、基礎ブロック９とコンクリート板１０とは段差１２’と段差１２とが嵌り合うことで位置決めされる。さらに、コンクリート板１０の背部に底面２２と背面２１をなす金網パネル２０ａを置き、前縁の鋼線を連結部材３０によってコンクリート板１０と基礎ブロック９とに連結固定する。こうして単位ユニット５が形成される。なお、金網パネル２０ａを先に置いてからコンクリート板１０を置いて、それから連結部材３０によって両者を連結固定してもよい。それから、背面２１の内側に透水性シート２５を配置し、補強ステー２７，２７によってコンクリート板１０と底面２２および背面２１と底面２２を繋ぐ（図５（ｃ））。
【００３９】
そして単位ユニット５の中にコンクリート破砕物８０を充填し、背面２１の背部を土砂７０により埋め戻す（図５（ｄ））。
【００４０】
それから、基礎ブロック９の上のコンクリート板１０の上に別のコンクリート板１０を設置する。この別のコンクリート板１０の背部に底面２２と背面２１をなす金網パネル２０ｂを置き、前縁の鋼線を連結部材３０によって上下のコンクリート板１０，１０に連結固定する。こうして別の単位ユニット５が形成される。なお、金網パネル２０ｂを先において、次に別のコンクリート板１０を置き、それから連結部材３０によって両者を連結固定してもよい。ここで上に置かれた金網パネル２０ｂは、下の金網パネル２０ａに比べて底面２２の長さが大きい。それから、背面２１と底面２２の内側に透水性シート２５を敷き、補強ステー２７，２７によってコンクリート板１０と底面２２および背面２１と底面２２を繋ぐ（図５（ｅ））。
【００４１】
この後に図５（ｄ）の工程を行い、さらにその上にコンクリート板１０と金網パネル２０ｃとを図５（ｅ）と同様にして設置し、もう一度図５（ｄ）の工程を行って、３段の高さの垂直擁壁２が出来上がる。
【００４２】
以上のように本実施形態では、コンクリート板１０、金網パネル２０ａ、２０ｂ、２０ｃ、補強ステー２７、連結部材３０、透水性シート２５の５種類の部材を用意すれば、基礎ブロック９の上に垂直擁壁２を築くことができ、部材の種類が少ないので、施工も容易に行えてコストを低く抑えられる。また、現場打コンクリートを用いる必要がないので、養生期間が不要であり工期を短くできる。また、本実施形態においては実施形態１の効果も奏せられ、本実施形態の効果は実施形態１においても奏せられる。
【００４３】
（実施形態３）
実施形態３の垂直擁壁は、図６に示すように実施形態１とは積み上げられた単位ユニットの底面２２の長さが異なっている。即ち底面２２の長さは、下の３段が長く、中間の４段は下よりも短く、上の３段は中間よりもさらに短い。なお、底面２２の長さ以外は本実施形態の垂直擁壁３は実施形態１の垂直擁壁１と構造や構成材料等が同じである。本実施形態の垂直擁壁３は、実施形態１の垂直擁壁１よりも施工時に掘削量が多くなるが、それ以外は実施形態１と同様の効果を奏する。
【００４４】
（実施形態４）
実施形態４の垂直擁壁は、図７に示すように実施形態１とは積み上げられた単位ユニットの底面２２の長さが異なっている。即ち底面２２の長さは、全ての段において同じ長さとなっている。なお、底面２２の長さ以外は本実施形態の垂直擁壁４は実施形態１の垂直擁壁１と構造や構成材料等が同じである。本実施形態の垂直擁壁４は、実施形態１の垂直擁壁１よりも施工時に掘削量がやや多くなるが、それ以外は実施形態１と同様の効果を奏する。
【００４５】
（その他の実施形態）
上記の実施形態は本発明の例示であり、本発明はこれらの例に限定されない。例えば、コンクリート破砕物の代わりに小石や砕石、砂が混じったクラッシャーなどを充填してもよいし、土砂等が混じっていたりこれらの混合物を充填してもよい。コンクリート板１０の形状も上記のものに限定されず、例えば突出部１１は一つだけでもよいし、前面側の模様は任意の模様を用いることができる。
【産業上の利用可能性】
【００４６】
以上説明したように、本発明に係る垂直擁壁は、排水性がよく容易に施工できるので、上側に道路を設ける垂直擁壁等として有用である。
【図面の簡単な説明】
【００４７】
【図１】実施形態１の垂直擁壁を模式的に示した断面図である。
【図２】実施形態２の垂直擁壁を前方から見た斜視図である。
【図３】実施形態２の垂直擁壁を後方から見た斜視図である。
【図４】２つのコンクリート板の連結部分の拡大図である。
【図５】実施形態２の垂直擁壁の施工方法を説明する概略断面図である。
【図６】実施形態３の垂直擁壁を模式的に示した断面図である。
【図７】実施形態４の垂直擁壁を模式的に示した断面図である。
【図８】Ｌ型擁壁を模式的に示した断面図である。
【図９】補強土擁壁を模式的に示した断面図である。
【符号の説明】
【００４８】
１、２          垂直擁壁
３、４          垂直擁壁
５              単位ユニット
９              基礎ブロック
１０            コンクリート板
１１            突出部
１５            前壁部
２０ａ〜ｃ      金網パネル
２１            背面
２２            底面
２５            透水性シート
２７            補強ステー
３０            連結部材
５０            基礎地盤
８０            コンクリート破砕物
【図１】
2008308948.tif 000003
【図２】
2008308948.tif 000004
【図３】
2008308948.tif 000005
【図４】
2008308948.tif 000006
【図５】
2008308948.tif 000007
【図６】
2008308948.tif 000008
【図７】
2008308948.tif 000009
【図８】
2008308948.tif 000010
【図９】
2008308948.tif 000011